(57)【要約】  【課題】レーザ光走査装置における筐体の放熱フィンの熱を効果的に放熱できるようにして、レーザ光走査装置における温度調節効果を改善すること。  【解決手段】本発明にかかるレーザ光走査装置の放熱構造は、筐体内に、ビーム状のレーザ光を発生するレーザ光発生手段と、前記レーザ光発生手段にて発生させたレーザ光を照射対象面へ導いて走査するための走査手段とを備えるとともに、前記筐体の外面には放熱フィンを備え、前記レーザ光発生手段にて発生した熱を前記放熱フィンへ伝達して放熱するように構成されたレーザ光走査装置の放熱構造において、前記放熱フィンを通気路に臨ませた通気ダクトを設けるとともに、前記通気ダクトには、外気を前記通気ダクト内に取り込むための開口部と、前記通気ダクトの内部の空気のみを排気するファンとを設けるという手段を講じた。【選択図】      図５
2005074978.tif 000002
【特許請求の範囲】
【請求項１】
筐体内に、ビーム状のレーザ光を発生するレーザ光発生手段と、前記レーザ光発生手段にて発生させたレーザ光を照射対象面へ導いて走査するための走査手段とを備えるとともに、前記筐体の外面には放熱フィンを備え、前記レーザ光発生手段にて発生した熱を前記放熱フィンへ伝達して放熱するように構成されたレーザ光走査装置の放熱構造において、
前記放熱フィンを通気路に臨ませた通気ダクトを設けるとともに、前記通気ダクトには、外気を前記通気ダクト内に取り込むための開口部と、前記通気ダクトの内部の空気のみを排気するファンとを設けたことを特徴とするレーザ光走査装置の放熱構造。
【発明の詳細な説明】
【技術分野】
【０００１】
本発明は、レーザ光を照射対象面に照射するレーザ光走査装置で発生する熱を効果的に放熱するための構造に関するものである。
【背景技術】
【０００２】
従来、レーザ光走査装置としては、例えば、ネガフィルムやポジフィルムの写真フィルムの画像または、デジタルカメラで撮影してＩＣカード（メモリカード）に保存された画像データ等を写真感光材に画像形成するレーザ光走査装置が知られている。
このレーザ光走査装置は、Ｒ（赤）、Ｇ（緑）、Ｂ（青）のレーザ光をビーム状に発生するレーザ光発生部と、このレーザ光発生部で発生されたＲ・Ｇ・Ｂのレーザ光を各色の画像データに応じて変調するレーザ強度変調部材と、変調されたレーザ光（変調光と呼ぶ）を感光材面上において主走査方向に走査するポリゴンミラーとを備えた主走査機構と、感光材を副走査方向に搬送する搬送機構を備えることで、感光材面上に２次元カラー画像を形成可能にしている。
前記レーザ光発生部は、Ｒ・Ｇ・Ｂのレーザ光を発生するために、赤色光源ユニット、緑色光源ユニット、青色光源ユニットを備えている。
前記レーザ光走査装置は、例えば、写真処理装置に内臓されている。
【０００３】
上記レーザ光発生部において用いられているレーザ発光ダイオードは、温度変化に応じてレーザ光の波長が変化する特性があるが、レーザ光の波長が不安定であると感光材に形成される画像の画質が劣化するので、レーザ光発生部ではレーザ光の波長を一定に保つためにレーザ光発生部の温度調節が行われている。
【０００４】
特に赤色用のレーザ発光ダイオードが温度の影響を受けやすいため、赤色用のレーザ発光ダイオードの近くに配したペルチェ素子による温度調節手段を備えている。
上述したようにペルチェ素子による温度調節手段を備えている場合、ペルチェ素子の放熱側の電極は温度が上昇するので、この熱を筐体の外部へ放熱するために、筐体の外面には放熱フィンが形成されている。
また、レーザ光走査装置のポリゴンミラーを駆動するためのモータや駆動用半導体を冷却するために、ダクトとファンを備えた走査装置が提案されている。（特許文献１参照。）
【０００５】
【特許文献１】特開平11-52267号公報
【発明の開示】
【発明が解決しようとする課題】
【０００６】
しかし、前記特許文献１に記載の技術は、ポリゴンミラーを駆動するためのモータや駆動用半導体を冷却するためのものであって、カラー画像を形成するためのレーザ光源の温度調節を効果的に行うためのものではない。
レーザ光源の熱は放熱フィンまで伝わるが、この放熱フィンの熱の放熱は不十分であって効果的ではなかった。その理由は、前記放熱フィンの熱は、前記レーザ光走査装置が内臓されている写真処理装置等の内部の空気で放熱されるように構成されているが、写真処理装置等の内部の空気は他の構成機器等の熱によって温かくなって、放熱フィンとの温度差が少ないため、効果的な放熱ができないからである。
従って、例えば、写真処理装置等の内部の空気の温度が高い場合には、前記ペルチェ素子によるレーザ光源の温度調節は十分には効果的でないので、レーザ光源の温度を低い目標温度に制御することが困難であった。このように、レーザ光源の温度を低くできなければレーザ光源の寿命を長くすることができないという問題があった。
【０００７】
本発明は、上記課題に鑑みてなされたもので、放熱フィンの熱を効果的に排出できるようにして、レーザ光走査装置における温度調節効果を改善することを目的とするものである。
【課題を解決するための手段】
【０００８】
本発明にかかる請求項１に記載のレーザ光走査装置の放熱構造は、
筐体内に、ビーム状のレーザ光を発生するレーザ光発生手段と、前記レーザ光発生手段にて発生させたレーザ光を照射対象面へ導いて走査するための走査手段とを備えるとともに、前記筐体の外面には放熱フィンを備え、前記レーザ光発生手段にて発生した熱を前記放熱フィンへ伝達して放熱するように構成されたレーザ光走査装置の放熱構造において、
前記放熱フィンを通気路に臨ませた通気ダクトを設けるとともに、前記通気ダクトには、外気を前記通気ダクト内に取り込むための開口部と、前記通気ダクトの内部の空気のみを排気するファンとを設けるという手段を講じた。
【発明の効果】
【０００９】
本発明では、筐体の外面に形成された放熱フィンを通気ダクト内の通気路に臨ませたので、放熱フィンは、通気ダクトの内部の通気路を流れる空気流によって効果的に放熱される。従って、レーザ光源の温度を低く保つことができるので、レーザ光源の寿命を延ばすことができる。
また、ファンは、通気ダクト以外の余分な空気を排気する必要がなく、通気ダクトの内部の空気のみを排気すればよいので、ファンの容量を小さくできコストを削減できる。
【発明を実施するための最良の形態】
【００１０】
以下に、本発明にかかるレーザ光走査装置の放熱構造を、その実施の形態を示した図面に基づいて詳細に説明する。
図１は、本発明のレーザ光走査装置の放熱構造を採用した写真処理装置の一構成例を示す図である。
【００１１】
まず、写真処理装置の全体概要を説明する。
写真処理装置１はフィルム（ネガ、ポジ）からラインＣＣＤスキャナで読み取られた画像データ、デジタルカメラで撮影された画像データ、パソコンで作成された画像データ等の画像を、感光材（印画紙）に露光させるレーザ光走査装置１００と、ロール状に巻回された印画紙を収納し、所定サイズに切断して露光部であるレーザ光走査装置１００に供給する感光材収納部２００と、レーザ光走査装置１００で露光された印画紙を現像、漂白定着及び安定処理する現像部３００及び安定処理された印画紙を乾燥する乾燥部４００等で構成されている。
なお、前記レーザ光走査装置１００の下部には、本発明にかかる放熱構造の通気ダクト５５０が配設され、前記写真処理装置１の前面の扉１１には、本発明にかかる放熱構造のルーバ１１１が形成されている。
【００１２】
感光材収納部２００はレーザ光走査装置１００の、例えば下部に設けられており、ロール状に巻回された印画紙を感光させないように内蔵した印画紙マガジン２０１が交換可能に収納されている。扉２０２を開いた内側には、印画紙マガジン２０１を載置して感光材収納部２００の内部に収納するための引き出し可能な支持レール（図略）等が設けられている。印画紙マガジン２０１が感光材収納部２００に装填されると、印画紙が印画紙マガジン２０１から繰り出され、カッタ（図略）により所定の寸法に切断された後、レーザ光走査装置１００に搬送される。
【００１３】
レーザ光走査装置１００については、後に詳述するが、レーザビーム発生部１０４と、該レーザビーム発生部１０４で発生したレーザビームの強度を変調するレーザ強度変調部材１０８と、これらの構成要素を遮光状態で格納する筐体１０２とを少なくとも具備して構成されている。
【００１４】
現像部３００により現像、漂白定着及び安定処理された印画紙２は、乾燥部４００に搬送され、乾燥処理された後、乾燥部４００の上部の排出口４０１から、第１搬送ベルト４０２上に排出される。
第１搬送ベルト４０２は、例えば１本のフィルムに撮影されているコマ数分の印画紙２が積み重ねられる。そして、印画紙２は第１搬送ベルト４０２により第２搬送ベルト４０３上に移送され、第２搬送ベルト４０３上に保持される。
第２搬送ベルト４０３は、第１搬送ベルト４０２から移送される毎に所定長だけ前進され、これにより、フィルム複数本分の写真（乾燥済みの印画紙）を載置することができる。
【００１５】
次に、前記写真処理装置１の要部であるレーザ光走査装置１００の構造を説明する。
図２は、レーザ光走査装置１００の構造を説明する平面図である。なお、図２においては、筐体１０２の上部を省略して図示しているが、筐体１０２には外光が入ることなく、また、筐体１０２から外部にレーザビームが漏れないように暗室に構成され、また、塵が入り込まないように密閉されている。
【００１６】
レーザ光走査装置１００は筐体１０２の上に３個のレーザ光源１０４Ｒ、１０４Ｇ、１０４Ｂを備えている。
そして、赤色用のレーザ発光ダイオードを備えたレーザ光源１０４Ｒはカバー８００に覆われている。このカバー８００には、レーザ光の光路を妨げないように孔８１０が設けられている。
なお、以降、レーザ光源１０４のＲ（赤），Ｇ（緑），Ｂ（青）について述べる場合、１０４Ｒ、１０４Ｇ、１０４Ｂとし、全般的にレーザ光源のことを述べる場合、単に１０４と参照符号を付して説明する。
【００１７】
レーザ光源１０４Ｒは、Ｒ（赤）の波長（例えば６８５ｎｍ）のレーザビーム（以下、Ｒレーザビームという）を射出するレーザ発光ダイオード（ＬＤ）１０４ＸＲで構成されている。レーザ光源１０４Ｇは、例えば、１０６４ｎｍの波長のレーザビーム（以下、Ｇレーザビームという）を射出するレーザ発光ダイオード１０４ＸＧと、レーザ発光ダイオード１０４ＸＧから射出されたＧレーザビームを、Ｇ（緑）の波長である１／２の波長（例えば５３２ｎｍ）のレーザビームに変換する波長変換素子（ＳＨＧ）１０４ＹＧとから構成されている。なお、波長変換素子から５３２ｎｍのレーザビームが射出されるようにレーザ発光ダイオード１０４ＸＧの発振波長が定められている。同様に、レーザ光源１０４Ｂは、例えば、９４６ｎｍの波長のレーザビーム（以下、Ｂレーザビームという）を射出するレーザ発光ダイオード１０４ＸＢと、レーザ発光ダイオード１０４ＸＢから射出されたＢレーザビームを、Ｂ（青）の波長である１／２の波長（例えば４７３ｎｍ）のレーザビームに変換する波長変換素子１０４ＹＢとから構成されている。なお、波長変換素子１０４ＹＢから４７３ｎｍのレーザビームが射出されるようにレーザ発光ダイオード１０４ＸＢの発振波長が定められている。
【００１８】
レーザ光源１０４Ｒ、１０４Ｇ、１０４Ｂのレーザ射出側には、レーザ強度変調部材として機能する音響光学変調素子（Acousto-Optic Modulator以下単にＡＯＭという）１０８、およびミラー１１０が順に配置されており、該ミラー１１０のレーザ反射側には、ポリゴンミラー１１８が配置されている。
【００１９】
ポリゴンミラー１１８のレーザ射出側には、ｆθレンズ１２０、およびシリンドリカルレンズ１２２からなるレンズ群が配置されている。そして、搬送されてきた印画紙２は、前記レンズ群を通過したＲ・Ｇ・Ｂのレーザビームに照射され、画像露光される。
【００２０】
つぎに、前記ＡＯＭ１０８について説明する。ＡＯＭ１０８は、レーザ光源１０４Ｒ、１０４Ｇ、１０４Ｂから入射されたレーザビームがＡＯＭ１０８内部の音響光学媒質を透過するように筐体１０２の所要位置に３個配置されているとともに、各ＡＯＭ１０８はＡＯＭドライバ（図略）に接続されている。
【００２１】
ＡＯＭドライバから各ＡＯＭ１０８に画像のＲ・Ｇ・Ｂの濃度に応じた信号（Ｒ・Ｇ・Ｂ毎の出力）が入力されると、ＡＯＭ１０８の音響光学媒質にＡＯＭドライバの出力に応じた超音波光学効果が作用して回折が生じ、ＡＯＭ１０８に入射されたレーザビームは画像の濃度に応じた強度となり、ＡＯＭ１０８から回折光（変調光）として射出され、感光材２に至り、画像を形成する。
【００２２】
つぎに、上記の構成のレーザ光走査装置１００の動作について説明する。
レーザ光源１０４から射出されたレーザビームはＡＯＭ１０８に入射する。なお、赤色用のレーザ発光ダイオードを備えたレーザ光源１０４Ｒから出射された赤色のレーザ光はカバー８００に設けられた孔８１０を通って前記ＡＯＭ１０８に入射する。
そして、ＡＯＭドライバから画像のＲ・Ｇ・Ｂ濃度に応じた信号がＡＯＭ１０８に入力され、ＡＯＭ１０８に入射したレーザビームは、画像の濃度に応じた強度となり、回折光（変調光）として射出される。ＡＯＭ１０８から射出されたレーザビームは、一定速度で回転するポリゴンミラー１１８によって反射され、主走査方向に走査され、ｆθレンズ１２０、およびシリンドリカルレンズ１２２を介して印画紙２に照射される。一方、印画紙２は、主走査方向と略直交する方向に図略の搬送部により搬送される。これによって、印画紙２上に画像が形成される。
このように、ポリゴンミラー１１８の回転によるレーザビームの走査は、２次元の画像を形成するための主走査としての機能を有し、印画紙２の搬送は副走査としての機能を有している。
なお、前記ポリゴンミラー１１８は、特許請求の範囲に記載された走査手段に対応する構成である。
【００２３】
つぎに、前記レーザ光走査装置１００における温度調節手段を説明する。
図３は、レーザ光走査装置１００を構成する赤色レーザ光用のレーザ光源１０４Ｒの詳細構造を示した側面要部断面図である。
図３において、
前記レーザ発光ダイオード（ＬＤ）１０４ＸＲは、セラミック製のスペーサ５０１を介してクロム銅合金製の第１熱伝達部材５０２に密着させて取り付けられている。
前記第１熱伝達部材５０２にはペルチェ素子５１０の一方の極が密着させて取り付けられ、前記ペルチェ素子５１０の他方の極には、アルミニウム製の第２熱伝達部材５０３が密着させて取り付けられている。この第２熱伝達部材５０３はアルミニウム製の第３熱伝達部材５０４を介してアルミダイキャスト等の金属製の前記筐体１０２に密着させて取り付けられている。
そして、前記レーザ発光ダイオード（ＬＤ）１０４ＸＲの近傍には、温度センサ５２０が配設されている。この温度センサ５２０はレーザ発光ダイオード（ＬＤ）１０４ＸＲと可能な限りに密に熱結合されている。
【００２４】
前記セラミック製のスペーサ５０１は、電気的な絶縁性を備えるとともに、熱伝動性が優れた素材である。
また、前記レーザ発光ダイオード（ＬＤ）１０４ＸＲは、必要な駆動回路が設けられた基板５０５に取り付けられている。なお、前記第１熱伝達部材５０２と第３熱伝達部材５０４との間には、電気的な絶縁性と熱的な絶縁性を備えたセラミック部材５０６が介装されている。
このようにして、レーザ発光ダイオード（ＬＤ）１０４ＸＲは、セラミックスペーサ５０１、第１熱伝達部材５０２を介して、ペルチェ素子５１０の一方の極と熱的に結合されており、ペルチェ素子５１０の他方の極は、第２熱伝達部材５０３と第３熱伝達部材５０４とを介して筐体１０２、および筐体１０２に形成された放熱フィン５３０と熱的に結合されている。
【００２５】
そして、以上の構成の赤色用のレーザ光源１０４Ｒはカバー８００に覆われている。このカバー８００から出射されるレーザ光の光路上には、レーザ光を妨げないように孔８１０が設けられている。
以上の構成によって、レーザ発光ダイオード（ＬＤ）１０４ＸＲから出射されるレーザ光はレンズ系５０７を通って出射され、カバー８００に設けられた孔８１０を通過して、前記ＡＯＭ１０８等の光学系に入射する。
前記カバー８００は、少なくとも前記レーザ発光ダイオード（ＬＤ）１０４ＸＲと、前記ペルチェ素子５１０と、前記温度センサ５２０とを同一空間内に囲うものであって、内部空間と外部空間との間の空気の流通もしくは対流を抑制し得る材質と構造とを備えたものである。
なお、前記孔８１０に代えてレンズやガラス等のレーザ光を透過させる部材によってレーザ光透過部を形成してもよい。
【００２６】
前述したように、前記カバー８００は、少なくとも前記レーザ発光ダイオード（ＬＤ）１０４ＸＲと、前記ペルチェ素子５１０と、前記温度センサ５２０とを同一空間内に囲っているので、前記温度センサ５２０によって、カバー８００の内部空間の温度を環境温度の影響を受けずに検出し、前記ペルチェ素子５１０によって、カバー８００の内部空間のみを効率よく加温もしくは冷却する。従って、このように温度調節された空間内に配設されているレーザ発光ダイオード（ＬＤ）１０４ＸＲの温度は正確に目標温度に調節されるのである。
【００２７】
なお、前記温度センサ５２０によるレーザ光源の温度調節とは別に前記レーザ光走査装置１００の内部空間の全体的な温度調節も行われているが、従来は、これらの２系統の温度調節が全く個別に独立して制御されていた。そのため、レーザ光源の温度と、その周囲空間である前記レーザ光走査装置１００の内部空間の温度との間に大きな温度差が発生すると、前記レーザ光源を構成する金属や樹脂等の異種材料間で膨張する度合いが変化するので、レーザ光軸がずれてしまうことがあった。
このレーザ光走査装置１００においては、前記温度センサ５２０と前記ペルチェ素子５１０によるレーザ光源の温度調節と、前記レーザ光走査装置１００の内部空間の温度調節とを関連付けして制御するようにした。
【００２８】
即ち、例えば、レーザ光源の温度調節における目標温度と、レーザ光走査装置１００の内部空間の温度調節における目標温度とを、近い温度に設定することが好ましい。または、一方の温度調節において、他方の温度を監視しながら、大きな温度差が発生しないように制御することが好ましい。
このように、レーザ光源の温度調節とレーザ光走査装置１００の内部空間の温度調節とを、高いに大きな温度差が発生しないように関連付けして制御するようにしたので、異常な熱ストレスの発生を防止でき、レーザ光軸のずれを防止することも可能となった。
【００２９】
つぎに、本発明の特徴である放熱構造の詳細を説明する。
図４の（ａ）、（ｂ）、（ｃ）に示したように、前記筐体１０２の下側の外面には放熱フィン５３０が形成されている。この放熱フィン５３０は前記筐体１０２と同じくアルミダイキャスト製で、複数の板状の凸条が列状に形成されたものである。これらの放熱フィン５３０の周囲には、前記放熱フィンとほぼ同じ高さのリブ５４０が形成され、全ての放熱フィン５３０を囲むように配置されている。
これらの放熱フィン５３０は、３色のレーザ光源１０４Ｒ，１０４Ｂ，１０４Ｇの配置されている領域の裏側を含む領域に形成されている。
従って、特に発熱の多いレーザ光源の熱が前記放熱フィンに効果的に伝達されるように構成されている。
【００３０】
図５の（ａ）、（ｂ）に示したように、前記リブ５４０で囲まれた前記放熱フィン５３０を含む空間は、通気ダクト５５０と連通し、前記放熱フィン５３０は通気ダクトの内部の通気路に望んだ状態となっている。
この通気ダクト５５０は、前記筐体の外部から外気を取り入れるための開口部５５１と、開口部５５１から前記リブ５４０で囲まれた空間まで外気を導入する導入部５５２と、前記リブ５４０で囲まれた空間の通気断面積を狭くするように覆うフィンカバー部５５３と、前記放熱フィン５３０の近傍を通過して熱を受け取った空気を排出する排出部５５４とを備えている。この排出部５５４には２つの排気ファン５６０が配設され、通気ダクト５５０内部の空気を排出することによって、前記開口部５５１から流入する空気流を発生させるように構成されている。
【００３１】
前記排気ファン５６０は小径であるので、断面形状が長方形状となっている通気ダクト５５０に効率よく収まるように、また、２つ列設されていいるので、十分な排気能力が得られる。
前記開口部５５１は、この写真処理装置１の前面に設けられた扉１１に形成されたルーバ１１１に対応する位置に配設されている。
このような構成によって、写真処理装置１の前面に設けられた扉１１のルーバ１１１から取り込まれた外気は、開口部から通気ダクト５５０の内部に導入され、前記放熱フィン５３０の間を流れて放熱フィンの熱を奪い、排気ファン５６０によって排気されるように構成されている。
なお、前記放熱フィン５３０、通気ダクト５５０、および排気ファン５６０によって放熱構造５が構成されている。そしてこの放熱構造５は、特許請求の範囲に記載されたレーザ光走査装置の放熱構造に対応している。
【実施例１】
【００３２】
次に、本発明にかかる放熱構造の具体的な詳細構造を説明する。
まず、通気ダクトに関しては、前記通気ダクト５５０の導入部５５２および排気部５５４の断面積より、放熱フィンの近傍の断面積を小さくすることによって、放熱フィンの近傍の空気の流速を速くし、放熱フィンによる放熱効果を高くした。
また、前記リブ５４０と、前記通気ダクト５５０のフィンカバー部５５３との当接部分は、空気の漏れ等がなく前記リブ５４０で囲まれた部分のみの空気を排気できるように、互いに密接する構造となっている。例えば、図６に一部分の断面を示したように、通気ダクト５５０側に断面形状が凹状の溝５５５を設け、この溝５５５の底にクッション材等のパッキン５５６を装着し、前記リブ５４０の端部で前記パッキン５５６を押圧するように構成するとよい。
【００３３】
また、前記通気ダクトの開口部５５１と、前記扉１１との当接部分は、光の漏れや空気の漏れ等がないように互いに密接する構造となっている。例えば、図７に一部分の断面を示したように、前記扉１１の内側に断面形状が凹状の溝１１２を設け、この溝１１２の底に遮光性のクッション材等のパッキン１１３を装着し、前記開口部５５１の端部で前記パッキン１１３を押圧するように構成するとよい。
そして、前記扉１１に形成されたルーバ１１１の周囲は前記凹状の溝１１２によって囲まれているので、扉を閉じた状態では、前記ルーバ１１１から通気ダクト内に漏れる光が、通気ダクトの外部、即ち、当該写真処理装置１の内部に漏れることは防止されている。また、空気の漏れも防止されているので、前記ルーバ１１１のスリットを通った外気のみが通気ダクト内に取り入れられる。
【００３４】
次に、本発明にかかる放熱構造の作用・効果を説明する。
前記ペルチェ素子５１０は図示しない温度調節回路によって、前記レーザ発光ダイオード（ＬＤ）１０４ＸＲにおける過剰な熱を前記放熱フィン５３０へ移動させる。そして、前記放熱フィン５３０の熱は通気ダクト内を流れる空気に奪われるので、前記ペルチェ素子５１０によるレーザ光源の温度調節は効果的に行われる。
従って、例えば、周囲温度が高くて温度調節の目標温度が低い場合には、従来のような放熱フィンだけでは、前記ペルチェ素子５１０によるレーザ光源の温度調節は効果的でなく、低い目標温度に制御することが困難であったが、放熱フィンの熱を通気ダクトを流れる空気流によって強制的に放熱するので、前記ペルチェ素子５１０によるレーザ光源の温度調節は効果的に行え、低い目標温度にも十分に制御することができる。
このように、レーザ光源の温度を低い温度に調節することができるので、レーザ発光ダイオードの寿命を延ばすことができるのである。
【００３５】
さらに、排気ファンは、通気ダクトの内部の空気のみを排気すればよいので、従来のように無駄がなく、小型のファンを採用することができる。従って、従来より排気ファンのコストを節減することができる。
【図面の簡単な説明】
【００３６】
【図１】本発明のレーザ光走査装置が用いられる写真処理装置の一構成例を示す図である。
【図２】レーザ光走査装置の構造を説明する平面図である。
【図３】レーザ発光ダイオードまわりの構成を示す一部断面側面図である。
【図４】レーザ光走査装置の筐体の概略側面図である。図４の（ａ）は、レーザ光走査装置の底面図であり、図４の（ｂ）はそのＸ−Ｘ線一部断面図、図４の（ｃ）はそのＹ−Ｙ線一部断面図である。
【図５】レーザ光走査装置の筐体に通気ダクトを装着した状態の概略図である。図５の（ａ）はその要部断面図であり、図５の（ｂ）はその底面図である。
【図６】レーザ光走査装置の筐体のリブと、通気ダクトとの当接部の要部の拡大断面図である。
【図７】写真処理装置の扉と、通気ダクトの開口部との当接部の要部の拡大断面図である。
【符号の説明】
【００３７】
１ 写真処理装置
１００ レーザ光走査装置
１０４ レーザ光源（レーザ光発生手段）
１０２  筐体
１１８  ポリゴンミラー、走査手段
５      レーザ光走査装置の放熱構造
５３０  放熱フィン
５５０  通気ダクト
５５１  開口部
５６０  排気ファン
【図１】
2005074978.tif 000003
【図２】
2005074978.tif 000004
【図３】
2005074978.tif 000005
【図４】
2005074978.tif 000006
【図５】
2005074978.tif 000007
【図６】
2005074978.tif 000008
【図７】
2005074978.tif 000009